(57)【要約】【課題】  昇降コードを操作装置で巻き取り、あるいは巻戻すことによりスクリーンを昇降するロールアップブラインドにおいて、スクリーンの下限位置の調整を容易に行い得るロールアップブラインドの昇降装置を提供する。【解決手段】  スクリーンの下端にウェイトバーを吊下支持し、ウェイトバーの下方を巻回した昇降コードの一端をヘッドボックスに固定し、昇降コードの他端部をヘッドボックス内の巻取り装置で昇降することにより、スクリーンをウェイトバーに巻取りあるいは巻戻して昇降可能としたロールアップブラインドにおいて、スクリーン１２の前方において、ヘッドボックス１１にコード止め２３を取着し、昇降コード１４の一端をスクリーン１２の背面側から該スクリーンに挿通してコード止め２３に取着し、コード止め２３にはウェイトバー１３の下限を調整する下限調整手段を備えた。【選択図】      図３
2006283320.tif 000002
【特許請求の範囲】
【請求項１】
ヘッドボックスからスクリーンを吊下支持し、前記スクリーンの下端にウェイトバーを吊下支持し、前記ウェイトバーの下方を巻回した昇降コードの一端を前記ヘッドボックスに固定し、前記昇降コードの他端部をヘッドボックス内の巻取り装置で昇降することにより、前記スクリーンをウェイトバーに巻取りあるいは巻戻して昇降可能としたロールアップブラインドにおいて、
前記スクリーンの前方において、前記ヘッドボックスにコード止めを取着し、前記昇降コードの一端を前記スクリーンの背面側から該スクリーンに挿通して前記コード止めに取着し、前記コード止めには前記ウェイトバーの下限を調整する下限調整手段を備えたことを特徴とするロールアップブラインドの昇降装置。
【請求項２】
前記下限調整手段は、
前記コード止めに設けた透孔と、
前記透孔に挿通した前記昇降コードの端部に設けられ、前記透孔に保持される抜け止め部と、
前記コード止めに設けられ、前記抜け止め部を室内側から引き出して、前記昇降コードの長さを調整可能とする開口部と
を備えたことを特徴とする請求項１記載のロールアップブラインドの昇降装置。
【請求項３】
前記コード止めは、前記ヘッドボックスの長手方向に移動可能として前記下限調整手段としたことを特徴とする請求項１又は２記載のロールアップブラインドの昇降装置。
【請求項４】
前記コード止めには、前記ヘッドボックスに対し移動可能に支持される状態と、前記ヘッドボックスに対し移動不能に固定される状態とを選択可能とした係合手段を設けたことを特徴とする請求項３記載のロールアップブラインドの昇降装置。
【請求項５】
前記係合手段は、
前記コード止めの本体部の上方に設けられ、前記ヘッドボックスに対し移動可能に係合する係合片と、
前記本体部の上面に設けた隆起部と
を備え、
前記本体部の回動に基づいて前記係合片と隆起部との間で前記ヘッドボックスのリブを挟着可能としたことを特徴とする請求項４記載のロールアップブラインドの昇降装置。
【請求項６】
前記ヘッドボックスに第一及び第二のコード止めを取着し、前記第一のコード止めに前記昇降コードを移動可能に挿通し、前記第二のコード止めに前記昇降コードの一端を取着したことを特徴とする請求項１乃至５のいずれか１項に記載のロールアップブラインドの昇降装置。
【発明の詳細な説明】
【技術分野】
【０００１】
この発明は、昇降コードでスクリーンの下縁をウェイトバーに巻き取り、あるいは巻戻すことによりスクリーンを昇降可能としたロールアップブラインドの昇降装置に関するものである。
【背景技術】
【０００２】
図７は、経木すだれをスクリーンとして使用したロールアップブラインドの従来例を示す。ヘッドボックス１にスクリーン２の上端が取着され、そのスクリーン２の下端は丸棒状のウェイトバー３に取着されている。
【０００３】
昇降コード４は、その一端がヘッドボックス１の背面、すなわち室外側の側面に結び着けられ、他端部はウェイトバー３の下方を経て、ヘッドボックス１内の巻取軸に巻取られている。従って、ウェイトバー３はウェイトバー３の下方に巻回される昇降コード４に支持されている。
【０００４】
そして、操作装置により昇降コード４をヘッドボックス１内の巻取装置に巻き取ると、ウェイトバー３に巻回される昇降コード４が矢印Ａ方向に移動して、ウェイトバー３が同方向に回転される。すると、ウェイトバー３がスクリーン２を巻取りながら上方へ移動する。
【０００５】
また、昇降コード４を巻取装置から巻戻すと、ウェイトバー３に巻回される昇降コード４が矢印Ｂ方向に移動して、ウェイトバー３が同方向に回転される。すると、ウェイトバー３がスクリーン２を巻戻しながら下方へ移動する。
【０００６】
このようなロールアップブラインドでは、昇降コード４を最大限巻戻しても、スクリーン２がウェイトバー３からすべて巻戻されずその下端部がウェイトバー３に巻かれた状態に維持される。従って、ウェイトバー３の下限位置は、昇降コード４の長さで決定される。
【０００７】
特許文献１及び２には、昇降コードを操作者が直接引いて、スクリーンを昇降する昇降装置が開示されている。
【特許文献１】実開昭５１−３００１９号公報
【特許文献２】実用新案登録第３００４４６８号
【発明の開示】
【発明が解決しようとする課題】
【０００８】
上記のようなロールアップブラインドでは、ウェイトバー３の下限位置を微調整するために昇降コード４の長さを調整するには、昇降コード４の一端とヘッドボックス１との取付部分で調整する必要がある。
【０００９】
ところが、昇降コード４の一端は、ヘッドボックス１の背面側に取着されているので、このロールアップブラインドを窓に設置した後にウェイトバー３の下限位置を微調整しようとすると、窓の上部に設置されているヘッドボックス１の背面側から昇降コード４を取り外し、さらに昇降コード４の長さを調整しながら、再度結び着ける必要がある。従って、ウェイトバー３の下限位置の調整が煩雑となる問題点がある。
【００１０】
特許文献１，２に記載された構成では、昇降コードを直接操作して、スクリーンを昇降する構成であるため、スクリーンの下限位置は昇降コードの操作量に基づいて調整可能である。従って、上記のような問題点は生じない。
【００１１】
この発明の目的は、昇降コードを操作装置で巻き取り、あるいは巻戻すことによりスクリーンを昇降するロールアップブラインドにおいて、スクリーンの下限位置の調整を容易に行い得るロールアップブラインドの昇降装置を提供することにある。
【課題を解決するための手段】
【００１２】
請求項１では、ヘッドボックスからスクリーンを吊下支持し、前記スクリーンの下端にウェイトバーを吊下支持し、前記ウェイトバーの下方を巻回した昇降コードの一端を前記ヘッドボックスに固定し、前記昇降コードの他端部をヘッドボックス内の巻取り装置で昇降することにより、前記スクリーンをウェイトバーに巻取りあるいは巻戻して昇降可能としたロールアップブラインドにおいて、前記スクリーンの前方において、前記ヘッドボックスにコード止めを取着し、前記昇降コードの一端を前記スクリーンの背面側から該スクリーンに挿通して前記コード止めに取着し、前記コード止めには前記ウェイトバーの下限を調整する下限調整手段を備えた。
【００１３】
請求項２では、前記下限調整手段は、前記コード止めに設けた透孔と、前記透孔に挿通した前記昇降コードの端部に設けられ、前記透孔に保持される抜け止め部と、前記コード止めに設けられ、前記抜け止め部を室内側から引き出して、前記昇降コードの長さを調整可能とする開口部とを備えた。
【００１４】
請求項３では、前記コード止めは、前記ヘッドボックスの長手方向に移動可能として前記下限調整手段とした。
請求項４では、前記コード止めには、前記ヘッドボックスに対し移動可能に支持される状態と、前記ヘッドボックスに対し移動不能に固定される状態とを選択可能とした係合手段を設けた。
【００１５】
請求項５では、前記係合手段は、前記コード止めの本体部の上方に設けられ、前記ヘッドボックスに対し移動可能に係合する係合片と、前記本体部の上面に設けた隆起部とを備え、前記本体部の回動に基づいて前記係合片と隆起部との間で前記ヘッドボックスのリブを挟着可能とした。
【００１６】
請求項６では、前記ヘッドボックスに第一及び第二のコード止めを取着し、前記第一のコード止めに前記昇降コードを移動可能に挿通し、前記第二のコード止めに前記昇降コードの一端を取着した。
【発明の効果】
【００１７】
本発明によれば、昇降コードを操作装置で巻き取り、あるいは巻戻すことによりスクリーンを昇降するロールアップブラインドにおいて、スクリーンの下限位置の調整を容易に行い得るロールアップブラインドの昇降装置を提供することができる。
【発明を実施するための最良の形態】
【００１８】
以下、この発明を具体化した一実施の形態を図面に従って説明する。図１に示すロールアップブラインドは、ヘッドボックス１１から経木すだれにてなるスクリーン１２が垂下され、そのスクリーン１２の下端にはウェイトバー１３が取着されている。前記スクリーン１２の上端は、図２及び図３に示すように、ヘッドボックス１１の背面、すなわち室外側の側面に取着されている。
【００１９】
前記ウェイトバー１３を昇降するための複数本の昇降コード１４は、その一端が前記スクリーン１２の後方、すなわち窓側からスクリーン１２に挿通されて前記ヘッドボックス１１の背面に取着されている。その昇降コード１４は、前記ウェイトバー１３の下方を巻回されて、他端がヘッドボックス１内の複数箇所で支持部材１５に回転可能に支持された巻取軸（巻取り装置）１６に取着されている。
【００２０】
前記巻取軸１６には、駆動軸１７が相対回転不能に挿通され、その駆動軸１７の回転にともなって巻取軸１６が回転される。そして、巻取軸１６の回転にともなって昇降コード１４が巻取軸１６に巻き取られ、あるいは巻戻されるようになっている。
【００２１】
前記駆動軸１７の一端は、前記ヘッドボックス１１の一端に固定されたワンウェイクラッチ１８の出力軸に嵌合されている。前記ワンウェイクラッチ１８の入力軸にはプーリー１９が嵌合され、そのプーリー１９に操作コード２０が掛装されている。
【００２２】
そして、操作コード２０の操作に基づいてプーリー１９が回転され、そのプーリー１９の回転がワンウェイクラッチ１８を介して駆動軸１７に伝達されるようになっている。
前記駆動軸１７の他端部は、前記ヘッドボックス１１の他端部において、ストッパー装置２１及びガバナー装置２２に挿通されている。
【００２３】
前記ストッパー装置２１は、操作コード２０の不操作時にスクリーン１２の自重降下を防止するものであり、ガバナー装置２２はスクリーン１２の昇降速度を所定速度以下に制限するものである。
【００２４】
前記昇降コード１４の一端は、図４に示すように、コード止め（下限調整手段）２３を介してヘッドボックス１１に固定されている。そのコード止め２３は合成樹脂で形成され、図５（ａ）に示すように、一方を開口した四角筒状の本体部２４の上面に軸部２５が形成されている。そして、軸部２５の上部には前記本体部２４の開口方向に沿って延びる係合片（係合手段）２６が一体に形成されている。また、軸部２５の両側において前記本体部２４の上面には、前記係合片２６に沿う方向に隆起部（係合手段）２７が形成されている。
【００２５】
前記ヘッドボックス１１の後面下部には、前記係合片２６を挿入可能とする溝部２８が形成されている。前記溝部２８は、前後方向に対向するリブ２９ａ，２９ｂにより下方に開口され、リブ２９ａ，２９ｂの間隔は前記コード止め２３の軸部２５を挿通可能とする間隔である。
【００２６】
そして、前記係合片２６を前記リブ２９ａ，２９ｂ間の溝に沿う方向として前記軸部２５をリブ２９ａ，２９ｂ間に挿通すれば、このコード止め２３が溝部２８に沿って移動可能に支持される。この状態から本体部２４を９０度回転させると、図３に示すように、係合片２６と前記隆起部２７との間でリブ２９ａ，２９ｂが挟着され、かつ係合片２６の一方の端部がリブ２９ｂ側の内側面に当接するようになっている。
【００２７】
この状態では、コード止め２３と溝部２８との摩擦によりコード止め２３が溝部２８に固定される。また、所定値以上の操作力でコード止め２３を回動させれば、溝部２８に沿って移動可能な状態に復帰する。
【００２８】
前記コード止め２３の開口部に対向する側面には、図５（ｂ）に示すように、前記昇降コード１４を挿通可能とした透孔３０が形成されている。そして、本体部２４の外から昇降コード１４を透孔３０に挿通し、その昇降コード１４の端部に結び目３１を抜け止め部として形成することにより、昇降コード１４がコード止め２３に取着されている。
【００２９】
前記ヘッドボックス１１の前面には、同ヘッドボックス１１及び前記コード止め２３を室内側の視界から遮るための目隠し用スクリーン３２が垂下されている。
上記のように構成されたロールアップブラインドでは、操作コード２０を操作して昇降コード１４を巻取軸１６に巻き取ると、スクリーン１２がウェイトバー１３に巻き取られながら図２に示す状態から図３に示す状態の範囲で上昇する。
【００３０】
また、昇降コード１４を巻取軸１６から巻き戻すと、スクリーン１２がウェイトバー１３から巻き戻されながら下降する。
昇降コード１４を下限まで下降させた状態でのウェイトバー１３の下限位置を調整する場合には、コード止め２３の開口部から昇降コード１４の結び目３１を引き出し、昇降コード１４の長さが所望の長さとなるように結び目３１を移動させる。あるいは、コード止め２３を９０度回転させて、溝部２８内を移動可能な状態とする。そして、コード止め２３を溝部２８に沿って移動させて、昇降コード１４によるウェイトバー１３の支持位置を上下方向に変化させることも可能である。
【００３１】
そして、ウェイトバー１３の高さ位置を適宜調節した後、コード止め２３を９０度回転させれば、コード止め２３が溝部２８に固定される。従って、コード止め２３の固定位置を調整することにより、ウェイトバー１３の下限位置を微調整可能である。
【００３２】
図６は、各昇降コード１４について２個ずつの第一及び第二のコード止め２３ａ，２３ｂを使用してウェイトバー１３の下限位置を調整可能とする例を示す。
第一のコード止め２３ａにスクリーン１２の背面から昇降コード１４を挿通し、その昇降コード１４の端部を第二のコード止め２３ｂに挿通して結び目３１を形成する。そして、第一のコード止め２３ａは溝部２８に固定した状態に維持し、ウェイトバー１３の下限位置を調整する場合には、第二のコード止め２３ｂを溝部２８に沿って移動させ、所望位置で溝部２８に固定すればよい。
【００３３】
上記のように構成されたロールアップブラインドでは、次に示す作用効果を得ることができる。
（１）コード止め２３に係止されている昇降コード１４の結び目３１を室内側へ引き出し、その結び目の位置を調整することにより、ウェイトバー１３の下限位置を微調整することができる。
（２）コード止め２３を移動させることにより、コード止め２３を下限調整手段として動作させて、ウェイトバー１３の下限位置を微調整することができる。
（３）コード止め２３は、スクリーン１２の室内側においてヘッドボックス１１に取着されている。従って、ウェイトバー１３の下限位置の微調整操作を室内側から容易に行うことができる。
（４）コード止め２３を溝部２８に対し９０度回転させることにより、溝部２８に沿って移動可能な状態と、溝部２８に対し移動不能に固定する状態とのいずれかを容易に選択することができる。
（５）各昇降コード１４に対し、２個ずつのコード止め２３ａ，２３ｂを使用し、一方のコード止め２３ｂのみを溝部２８に沿って移動させてウェイトバー１３の下限位置を微調整することにより、スクリーン１２の昇降コード１４挿通部に昇降コード１４の張力を作用させることなく、コード止め２３ｂの移動操作を行うことができる。
【００３４】
上記実施の形態は、以下の態様で実施してもよい。
・コード止め２３をヘッドボックス１１に係合させる手段は、上記のような溝部２８、係合片２６及び隆起部２７以外の構成としてもよい。
・スクリーン１２は、経木すだれ以外のスクリーンでもよい。布状のスクリーンとした場合には、昇降コードの挿通位置にハトメを取着し、そのハトメに昇降コードを挿通する。
・昇降コードを巻き取ってウェイトバーの下限位置を調整するコード止めをヘッドボックスに取着してもよい。
【図面の簡単な説明】
【００３５】
【図１】ロールアップブラインドを示す正面図である。
【図２】ロールアップブラインドを示す側面図である。
【図３】スクリーンを巻き上げた状態を示す側面図である。
【図４】コード止めを示す正面図である。
【図５】（ａ）はコード止め及びヘッドボックスの分解斜視図、（ｂ）はコード止めの正面図である。
【図６】コード止めを２個使用した場合を示す正面図である。
【図７】従来例を示す側面図である。
【符号の説明】
【００３６】
１１…ヘッドボックス、１２…スクリーン、１３…ウェイトバー、１４…昇降コード、２３…コード止め、下限調整手段、２４…本体部、２６…係合手段（係合片）、２７…係合手段（隆起部）、２９ａ，２９ｂ…リブ、３０…透孔、３１…抜け止め部（結び目）。
【図１】
2006283320.tif 000003
【図２】
2006283320.tif 000004
【図３】
2006283320.tif 000005
【図４】
2006283320.tif 000006
【図５】
2006283320.tif 000007
【図６】
2006283320.tif 000008
【図７】
2006283320.tif 000009